【手続補正書】
【提出日】平成19年10月2日(2007.10.2)
【手続補正１】
【補正対象書類名】特許請求の範囲
【補正対象項目名】全文
【補正方法】変更
【補正の内容】
【特許請求の範囲】
【請求項１】
デジタルマルチメディア放送端末機における放送サービスの提供中に、通話サービスを提供する方法であって、
前記放送サービスの提供中に、呼発信の要請があるか否かを判別するステップと、
前記呼発信の要請がある場合に、前記放送サービスを提供する状態を保持しながら、ユーザーから発信番号の入力を受けるための発信番号入力窓、及び前記入力された発信番号によって通話が接続された場合、通話接続中であることを示すための画面を表示するための呼発信に従うビデオ信号をメイン画面に表示し、前記放送サービスの提供に従うビデオ信号をサブ画面に表示するステップと、
前記呼発信に従うオーディオ信号を出力するステップと、を含むことを特徴とする方法。
【請求項２】
前記メイン画面は、前記デジタルマルチメディア放送受信端末機の表示部上に表示される画面であり、
前記サブ画面は、前記表示部上に表示されない画面であることを特徴とする請求項１記載の方法。
【請求項３】
前記呼発信に従うビデオ信号の出力中に、終了キーが入力されるか否かを判別するステップと、
前記終了キーが入力される場合に、前記呼発信及び前記放送サービスの提供を終了し、待機モードの遂行に従うビデオ信号を出力するステップと、をさらに含むことを特徴とする請求項１又は請求項２記載の方法。
【請求項４】
前記放送サービスを提供する状態を保持しながら、前記呼発信に従うビデオ/オーディオ信号の出力中に、終了キーが入力されるか否かを判別するステップと、
前記終了キーが入力される場合に、前記呼発信を終了し、前記放送サービスの提供に従うオーディオ/ビデオ信号を出力するステップと、をさらに含むことを特徴とする請求項１又は請求項２記載の方法。
【請求項５】
前記放送サービスを提供する状態を保持しながら、前記呼発信に従うビデオ信号を前記メイン画面に表示し、前記放送サービスの提供に従うビデオ信号を前記サブ画面に表示しながら、放送サービス切換キーが入力されるか否かを判別するステップと、
前記放送サービス切換キーが入力される場合に、前記放送サービスの提供に従うビデオ信号を前記メイン画面に表示し、前記呼発信に従うビデオ信号をサブ画面に表示するステップと、をさらに含むことを特徴とする請求項１記載の方法。
【請求項６】
前記呼発信に従うオーディオ信号を出力しながら、前記放送サービスの提供に従うビデオ信号をメイン画面に表示し、前記呼発信に従うビデオ信号をサブ画面に表示しながら、通話サービス切換キーが入力されるか否かを判別するステップと、
前記通話サービス切換キーが入力される場合に、前記呼発信に従うビデオ信号をメイン画面に表示し、前記放送サービスの提供に従うビデオ信号をサブ画面に表示するステップと、をさらに含むことを特徴とする請求項５記載の方法。
【請求項７】
前記放送サービスを提供する状態を保持しながら、前記呼発信に従うビデオ信号を前記メイン画面に表示し、前記放送サービスの提供に従うビデオ信号を前記サブ画面に表示しながら、放送サービス切換キーが入力されるか否かを判別するステップと、
前記放送サービス切換キーが入力される場合に、前記放送サービスの提供に従うビデオ信号を前記メイン画面に表示し、前記呼発信に従うビデオ信号をサブ画面に表示するステップと、をさらに含むことを特徴とする請求項２記載の方法。
【請求項８】
前記呼発信に従うオーディオ信号を出力しながら、前記放送サービスの提供に従うビデオ信号をメイン画面に表示し、前記呼発信に従うビデオ信号をサブ画面に表示しながら、通話サービス切換キーが入力されるか否かを判別するステップと、
前記通話サービス切換キーが入力される場合に、前記呼発信に従うビデオ信号をメイン画面に表示し、前記放送サービスの提供に従うビデオ信号をサブ画面に表示するステップと、をさらに含むことを特徴とする請求項７記載の方法。
【請求項９】
前記呼発信に従うオーディオ信号及び前記放送サービスの提供に従うビデオ信号を出力しながら、終了キーが入力されるか否かを判別するステップと、
前記終了キーが入力される場合に、前記呼発信に従う通話サービス及び放送サービスのうち、終了するサービスを尋ねるメッセージを表示するステップと、
前記メッセージが表示された状態で、前記放送サービス終了が選択される場合に、前記放送サービスを終了し、前記呼発信に従うオーディオ/ビデオ信号を出力するステップと、をさらに含むことを特徴とする請求項５乃至請求項８のいずれか一項に記載の方法。
【請求項１０】
前記放送サービスを終了し、前記呼発信に従うオーディオ/ビデオ信号の出力中に、終了キーが入力されるか否かを判別するステップと、
前記終了キーが入力される場合に、前記呼発信に従うオーディオ/ビデオ信号の出力を中止し、待機モードに従うビデオ信号を出力するステップと、をさらに含むことを特徴とする請求項９記載の方法。
【請求項１１】
前記メッセージが表示された状態で、前記通話サービスの終了が選択される場合に、前記通話サービス終了に従う画面を前記メイン画面に出力するステップと、
前記通話サービスの終了画面を数秒の間出力した後に、直ぐに前記放送サービスの提供に従うオーディオ/ビデオ信号を出力するステップと、をさらに含むことを特徴とする請求項１０記載の方法。
【請求項１２】
前記通話サービスの終了は、ユーザーが通話接続を終了するための終了キーの押下により行われることを特徴とする請求項１０記載の方法。
【請求項１３】
前記通話サービスの終了は、相手方の端末機から通話終了要求信号が受信されることにより行われることを特徴とする請求項１１記載の方法。
【請求項１４】
前記通話サービスと前記放送サービスとが同時に遂行中であることを報知するために、前記通話サービス及び前記放送サービスに割り当てられたアイコンを共に前記メイン画面に表示するステップをさらに含むことを特徴とする請求項５乃至請求項８のいずれか一項に記載の方法。
【請求項１５】
前記通話接続中であることを示すための画面は、前記発信番号、前記ユーザーの通話時間、現在時刻に対する情報及び現在ダイヤリング中であることを表示する情報のうち、少なくとも一つを含むことを特徴とする請求項１記載の方法。
【請求項１６】
デジタルマルチメディア放送端末機における放送サービスの提供中に、通話サービスを提供する方法であって、
前記放送サービスの提供中に、呼着信があるか否かを判別するステップと、
前記呼着信がある場合に、呼接続を要求するか否かを尋ねるメッセージを表示し、呼接続選択のためのキー入力を感知するステップと、
前記キー入力を通じて前記呼着信に従う通話接続が遂行されると、前記放送サービスを提供する状態を保持しながら、前記呼着信に従う通話接続画面を表示するための呼着信に従うビデオ信号と前記放送サービスの提供に従うビデオ信号を、メイン画面及びサブ画面にそれぞれ表示し、前記通話接続に従うオーディオ信号を出力するステップと、を含むことを特徴とする方法。
【請求項１７】
前記メイン画面は、前記デジタルマルチメディア放送受信端末機の表示部上に表示される画面であり、
前記サブ画面は、前記表示部上に表示されない画面であることを特徴とする請求項１６記載の方法。
【請求項１８】
前記呼着信に従うビデオ/オーディオ信号及び前記放送サービスの提供に従うビデオ信号を出力しながら、放送サービス切換キーが入力されるか否かを判別するステップと、
前記放送サービス切換キーが入力される場合に、前記放送サービスの提供に従うビデオ信号を前記メイン画面に出力し、前記呼着信に従うビデオ信号を前記サブ画面に出力するステップと、をさらに含むことを特徴とする請求項１６記載の方法。
【請求項１９】
前記呼着信に従うオーディオ信号及び前記放送サービスモードの遂行に従うビデオ信号を出力しながら、通話サービス切換キーが入力されるか否かを判別するステップと、
前記通話サービス切換キーが入力される場合に、前記放送サービスの提供に従うビデオ信号を前記サブ画面に出力し、前記呼着信に従うビデオ信号を前記メイン画面に出力するステップと、をさらに含むことを特徴とする請求項１６記載の方法。
【請求項２０】
前記呼着信に従うビデオ/オーディオ信号及び前記放送サービスの提供に従うビデオ信号を出力しながら、放送サービス切換キーが入力されるか否かを判別するステップと、
前記放送サービス切換キーが入力される場合に、前記放送サービスの提供に従うビデオ信号を前記メイン画面に出力し、前記呼着信に従うビデオ信号を前記サブ画面に出力するステップと、をさらに含むことを特徴とする請求項１７記載の方法。
【請求項２１】
前記呼着信に従うオーディオ信号及び前記放送サービスモードの遂行に従うビデオ信号を出力しながら、通話サービス切換キーが入力されるか否かを判別するステップと、
前記通話サービス切換キーが入力される場合に、前記放送サービスの提供に従うビデオ信号を前記サブ画面に出力し、前記呼着信に従うビデオ信号を前記メイン画面に出力するステップと、をさらに含むことを特徴とする請求項２０記載の方法。
【請求項２２】
前記メッセージ上で通話拒絶が選択される場合に、前記放送サービスの提供に従うオーディオ/ビデオ信号のみを出力するステップをさらに含むことを特徴とする請求項１６又は請求項１７記載の方法。
【請求項２３】
前記呼着信に従うオーディオ/ビデオ信号及び前記放送サービスの提供に従うビデオ信号を出力しながら、終了キーが入力されるか否かを判別するステップと、
前記終了キーが入力される場合に、前記呼着信に従う通話サービス及び放送サービスのうち、終了するサービスを尋ねるメッセージを表示するステップと、
前記メッセージが表示された状態で、前記放送サービス終了が選択される場合に、前記放送サービスを終了し、前記呼着信に従うオーディオ/ビデオ信号のみを出力するステップと、をさらに含むことを特徴とする請求項１８乃至請求項２１のいずれか一項に記載の方法。
【請求項２４】
前記呼着信に従うオーディオ/ビデオ信号のみを出力しながら、終了キーが入力されるか否かを判別するステップと、
前記終了キーが入力される場合に、前記呼着信に従う通話サービスを終了し、待機モードの遂行に従うビデオ信号を出力するステップと、をさらに含むことを特徴とする請求項２３記載の方法。
【請求項２５】
前記メッセージが表示された状態で、前記呼着信に従う通話サービス終了が選択される場合に、前記通話サービス終了に従う画面を前記メイン画面に出力するステップと、
前記通話サービス終了画面を数秒の間出力した後に、直ぐに前記放送サービスの提供に従うビデオ信号を前記メイン画面に出力し、前記放送サービスの提供に従うオーディオ信号を出力するステップと、をさらに含むことを特徴とする請求項２３記載の方法。
【請求項２６】
前記呼着信に従う通話サービス及び前記放送サービスの提供が同時に遂行中である状態で、第３者から呼着信が入力されるか否かを判別するステップと、
前記呼着信が入力される場合に、前記第３者との通話を接続して多者間通話接続に従うオーディオ/ビデオ信号を出力するステップと、をさらに含むことを特徴とする請求項１６記載の方法。
【請求項２７】
通話サービス及び放送サービスを同時に提供するデジタルマルチメディア放送端末機は、
前記放送サービスの提供中に前記通話サービス要求がある場合に、前記放送サービスを提供する状態を保持しながら、前記通話サービス及び前記放送サービスの提供に従うビデオ信号を、メイン画面及びサブ画面にそれぞれ表示し、前記通話サービスに従うオーディオ信号の出力を遂行する制御部と、
前記制御部の制御下で、前記通話サービス及び放送サービスに従うビデオ信号をメイン画面及びサブ画面にそれぞれ表示する表示部と、
前記制御部で処理されるオーディオ信号を出力するオーディオ処理部と、を含むことを特徴とする端末機。
【請求項２８】
前記呼着信に従う通話接続画面は、前記呼着信の呼び出し番号に従う発信者情報、前記ユーザーの通話時間及び現在時刻に対する情報のうち、少なくとも一つを含むことを特徴とする請求項１６又は請求項１７に記載の方法。
【請求項２９】
前記発信者情報は、前記呼着信の呼び出し番号に対応する発信者情報が事前に保存されていない場合、前記呼着信時の着信番号であることを特徴とする請求項２８記載の方法。
【請求項３０】
デジタルマルチメディア放送端末機における通話サービス及び放送サービスの提供方法であって、
前記放送サービスの提供中に受信されたメッセージがあるか否かを判別するステップと、
前記受信されたメッセージがある場合に、前記受信されたメッセージを確認するか否かを尋ねるメッセージを表示するステップと、
前記メッセージ上でのユーザーの選択に従って、前記受信されたメッセージの内容を表示するメッセージ報知窓を、前記放送サービスの提供に従うビデオ信号を出力する画面の一部に設定するステップと、
前記メッセージ報知窓に前記受信されたメッセージの内容を表示して出力するステップと、を含むことを特徴とする方法。
【請求項３１】
前記メッセージ報知窓が事前に設定された時間以上の間ディスプレーされるか否かをチェックするステップと、
前記チェックの結果、前記メッセージ報知窓が事前に設定された時間以上の間ディスプレーされる場合、前記メッセージ報知窓を閉じるステップと、をさらに含むことを特徴とする請求項３０記載の方法。
【請求項３２】
前記メッセージ報知窓に受信されたメッセージの内容が出力される場合に、前記メッセージの確認キーが入力されるか否かを判別するステップと、
前記メッセージ確認キーが入力される場合に、前記画面全体に、前記メッセージの内容を確認するためのメッセージ確認窓をディスプレーするステップと、をさらに含むことを特徴とする請求項３０記載の方法。
【請求項３３】
前記メッセージ確認窓が前記画面全体にディスプレーされた場合、特定キーが入力されるか否かをチェックするステップと、
前記特定キーが入力される場合、前記メッセージ確認窓のディスプレーを中止し、前記放送サービスモードの遂行に従うビデオ信号を前記画面全体に出力するステップと、
前記受信されたメッセージの内容を表示するメッセージ報知窓を、前記画面の一部に出力するステップと、をさらに含むことを特徴とする請求項３２記載の方法。
【請求項３４】
前記メッセージ報知窓は、前記受信されたメッセージに含まれている文字をスライド方式にて表示することを特徴とする請求項３０記載の方法。
【請求項３５】
前記メッセージ報知窓は、その大きさが、前記受信されたメッセージを表示するのに充分か否かをチェックするステップと、
前記チェックの結果、その大きさが充分でない場合に、前記受信されたメッセージをスライド方式にて表示することを特徴とする請求項３０記載の方法。
【請求項３６】
前記メッセージ報知窓は、事前に設定された時間の間、前記受信メッセージの内容を前記スライド方式にて繰返して表示することを特徴とする請求項３４又は請求項３５記載の方法。
【請求項３７】
前記メッセージ報知窓は、前記受信メッセージの呼び出し番号に対応する発信者情報が格納されていない場合、前記ユーザーにより事前に設定されている名称を、前記受信メッセージの内容と共に表示することを特徴とする請求項３０記載の方法。
【請求項３８】
放送サービスモード提供中に、呼着/発信に従う通話接続要求がある場合、前記放送サービス及び前記通話接続に従うビデオ信号を、メイン画面及びサブ画面にそれぞれ表示し、前記通話接続に従うオーディオ信号を出力するデジタルマルチメディア放送端末機における通話サービス及び放送サービスを提供する方法であって、
ユーザーが設定した時刻アラームがあるか否かをチェックするステップと、
前記設定された時刻アラームがある場合に、現在時刻をチェックして、現在時刻と前記設定されたアラーム時刻が同一であるか否かをチェックするステップと、
前記現在時刻と前記アラーム時刻とが同一の場合に、前記アラーム時刻であることを報知するアラームポップアップ窓を前記デジタルマルチメディア放送の画面に表示するステップと、を含むことを特徴とする方法。
【請求項３９】
前記アラームポップアップ窓は、前記ユーザーが前記時刻に設定したスケジュール情報がある場合に、前記スケジュール情報を含むことを特徴とする請求項３８記載の方法。
【請求項４０】
前記アラームポップアップ窓は、前記スケジュール情報をスライド方式にて表示することを特徴とする請求項３９記載の方法。
【請求項４１】
前記アラームポップアップ窓は、前記アラーム解除やアラーム設定により、事前に設定された時間の間継続して出現するポップアップ窓であることを特徴とする請求項３８記載の方法。
【請求項４２】
デジタルマルチメディア放送の受信が可能なポケットサイズの無線通信端末のマルチタスキング方法であって、
受信される放送データを無線端末機の画面に表示している際に、通話接続要請があるか否かを判断するステップと、
前記通話接続要請がある場合、通話中に、前記放送データを画面に継続して表示し、前記放送データ上に通話時間を重畳するステップと、
を含むことを特徴とする無線通信端末のマルチタスキング方法。
【請求項４３】
デジタルマルチメディア放送の受信が可能なポケットサイズの無線通信端末のマルチタスキング方法であって、
受信される放送データを無線端末機の画面に表示している際に、通話接続要請があるか否かを判断するステップと、
前記通話接続要請がある場合、通話中に、前記放送データを画面に継続して表示し、前記放送データ上に相手方の情報を表示するステップと、
を含むことを特徴とする無線通信端末のマルチタスキング方法。
【請求項４４】
前記相手方の情報は、
相手方の電話番号又は前記無線通信端末の住所録に格納された相手方の名前であることを特徴とする請求項４３に記載の無線通信端末のマルチタスキング方法。
【請求項４５】
前記相手方の電話番号が前記無線通信端末の住所録に格納されているか否かを判断するステップをさらに含み、
前記相手方の電話番号が前記住所録に格納されている場合、画面上に表示される放送データに重畳された通話接続情報は、前記相手方の名前を含むことを特徴とする請求項４４に記載の無線通信端末のマルチタスキング方法。
【請求項４６】
デジタルマルチメディア放送の受信が可能なポケットサイズの無線通信端末のマルチタスキング方法であって、
受信される放送データを無線端末機の画面に表示している際に、通話接続要請があるか否かを判断するステップと、
前記通話接続要請がある場合、通話中に、前記放送データを画面に継続して表示し、前記放送データ上に前記通話接続情報を重畳するステップと、
所定の切換要請が入力される場合、前記放送受信を継続した状態で、画面に通話接続情報を重畳した放送データの表示を、全体画面に通話接続情報の表示に切り替えるステップと、
を含むことを特徴とする無線通信端末のマルチタスキング方法。
【請求項４７】
全体画面に通話接続が表示された状態で、所定の切換要請が入力される場合、
通話接続情報を重畳した放送データの表示に切り替えるステップをさらに含むことを特徴とする請求項４６に記載の無線通信端末のマルチタスキング方法。
【請求項４８】
デジタルマルチメディア放送の受信が可能なポケットサイズの無線通信端末のマルチタスキング方法であって、
受信される放送データを無線端末機の画面に表示している際に、呼着信があるか否かを判断するステップと、
前記呼着信がある場合、呼着信接続を受諾する所定のキーが入力されるか否かを判断するステップと、
前記所定のキーが入力される場合、通話中に、前記放送データを画面に継続して表示し、前記放送データ上に通話接続情報を重畳するステップと、
を含むことを特徴とする無線通信端末のマルチタスキング方法。
【請求項４９】
デジタルマルチメディア放送の受信が可能なポケットサイズの無線通信端末のマルチタスキング方法であって、
受信される放送データを無線端末機の画面に表示している際に、呼着信があるか否かを判断するステップと、
前記呼着信がある場合、呼着信接続を受諾する所定のキーが入力されるか否かを判断するステップと、
前記所定のキーが入力される場合、通話中に、前記放送データを画面に継続して表示し、前記放送データ上に前記通話情報を重畳するステップと、
放送データを継続して受信している状態で所定の切換要請が入力される場合、画面上に通話接続情報を重畳した放送データの表示を、全体画面に通話接続情報の表示に切り替えるステップと、
を含むことを特徴とする無線通信端末のマルチタスキング方法。
【請求項５０】
デジタルマルチメディア放送の受信が可能なポケットサイズの無線通信端末のマルチタスキング方法であって、
受信される放送データを無線端末機の画面に表示している際に、呼着信があるか否かを判断するステップと、
前記呼着信がある場合、通話接続を受諾する所定のキーが入力されるか否かを判断するステップと、
前記所定のキーが入力される場合、通話中に、前記放送データを画面に継続して表示し、前記放送データ上に発信者の情報を重畳するステップと、を含むことを特徴とする無線通信端末のマルチタスキング方法。
【請求項５１】
前記発信者の情報は、
発信者の電話番号又は前記無線通信端末の住所録に格納された発信者の名前であることを特徴とする請求項５０に記載の無線通信端末のマルチタスキング方法。
【請求項５２】
前記発信者の情報が前記無線通信端末の住所録に格納されているか否かを判断するステップをさらに含み、
前記発信者の番号が無線端末の前記住所録に格納されている場合、画面上の前記放送データの表示に重畳された発信者情報は、前記発信者の名前を含むことを特徴とする請求項５１に記載の無線通信端末のマルチタスキング方法。
【請求項５３】
デジタルマルチメディア放送の受信が可能なポケットサイズの無線通信端末のマルチタスキング方法であって、
受信される放送データを無線端末機の画面に表示している際に、呼着信があるか否かを判断するステップと、
前記呼着信がある場合、発信者の情報を前記画面上に表示された放送データに重畳するステップと、
通話接続を受諾する所定のキーが入力されるか否かを判断するステップと、
前記所定のキーが入力される場合、通話中に、前記放送データを画面に継続して表示し、前記放送データ上に前記発信者の情報を重畳するステップと、
を含むことを特徴とする無線通信端末のマルチタスキング方法。
【請求項５４】
前記発信者の情報は、
前記発信者の電話番号又は前記無線通信端末の住所録に格納された前記発信者の名前であることを特徴とする請求項５３に記載の無線通信端末のマルチタスキング方法。
【請求項５５】
発信者の情報が前記無線通信端末の住所録に格納されているか否かを判断するステップをさらに含み、
前記発信者の番号が前記住所録に格納されている場合、前記画面上に表示される前記通話接続に重畳された情報は、前記住所録に格納された前記発信者の名前を含むことを特徴とする請求項５４に記載の無線通信端末のマルチタスキング方法。
【請求項５６】
デジタルマルチメディア放送の受信が可能なポケットサイズの無線通信端末のマルチタスキング方法であって、
受信される放送データを無線端末機の画面に表示している際に、呼着信があるか否かを判断するステップと、
前記呼着信がある場合、発信者の情報を画面上に前記放送データと呼着信の発信者情報とを重畳するステップと、
呼着信に対する通話接続を受諾する所定のキーが入力されるか否かを判断するステップと、
前記所定のキーが入力される場合、通話中に、前記放送データを画面に継続して表示し、前記放送データ上に前記発信者の情報を重畳するステップと、
所定の切換要請が入力される場合、前記放送受信を継続した状態で、前記画面に、前記発信者の情報を重畳した放送データの表示を、全体画面に発信者情報を表示して切り替えるステップと、を含むことを特徴とする無線通信端末のマルチタスキング方法。
【請求項５７】
デジタルマルチメディア放送の受信が可能なポケットサイズの無線通信端末のマルチタスキング方法であって、
受信される放送データを無線端末機の画面に表示している際に、通信サービスが要請されるか否かを判断するステップと、
前記通信サービスが要請される場合、前記通信サービスを受諾する所定のキーが入力されるか否かを判断するステップと、
放送データ上に前記通信サービス情報を重畳し、前記所定のキーの入力によって提供される通信サービス中に前記画面上に放送データを継続して表示するステップと、
所定の切換要請が入力される場合、放送データを継続して受信し、画面に通信サービス情報を重畳した放送データの表示を、前記通信サービス情報を全体画面に表示するように切り替えるステップと、を含み、
前記通信サービス情報が全体画面に表示した状態で所定の切換要請が入力される場合、通信サービス情報を重畳した放送データ表示に切り替えるステップを含むことを特徴とする無線通信端末のマルチタスキング方法。